【手続補正書】
【提出日】平成24年12月3日(2012.12.3)
【手続補正１】
【補正対象書類名】特許請求の範囲
【補正対象項目名】全文
【補正方法】変更
【補正の内容】
【特許請求の範囲】
【請求項１】
記録ヘッドと記録媒体との複数回の相対走査によって前記記録媒体の単位領域に画像を記録するために、当該単位領域に記録すべき画像に対応した多値画像データを処理するための画像処理装置であって、
前記単位領域に対する前記相対走査の回数に関する情報を取得するための取得手段と、前記取得手段により取得された情報が示す回数が閾値未満の場合には第１の処理モードを選択し、前記情報が示す回数が閾値以上の場合には第２の処理モードを選択するための選択手段と、
前記選択手段により選択された処理モードを実行するための処理部とを備え、
前記第１の処理モードは、（Ａ）前記多値画像データを、前記複数回の相対走査の各々に対応する多値データおよび前記複数回の相対走査のうちの少なくとも２回の相対走査に共通に対応する多値データに分割するための第１の分割処理と、（Ｂ）前記第１の分割処理によって得られた多値データのそれぞれを量子化して、前記複数回の相対走査の各々に対応する量子化データおよび前記少なくとも２回の相対走査に共通に対応する量子化データを生成するための第１の量子化処理と、（Ｃ）前記第１の量子化処理によって生成された量子化データを対応する相対走査毎に合成して、前記複数回の相対走査の各々に対応した合成量子化データを生成するための合成処理と、を含む画像処理を行うためのモードであり、
前記第２の処理モードは、（Ｄ）前記多値画像データを量子化して量子化データを生成するための第２の量子化処理と、（Ｅ）前記第２の量子化処理によって生成された量子化データを、前記複数回の相対走査の各々に対応する分割量子化データに分割するための第２の分割処理と、を含む画像処理を行うためのモードであることを特徴とする画像処理装置。
【請求項２】
前記第１の量子化処理では、前記第１の量子化処理によって生成される量子化データのそれぞれに基づき定められる記録画素の位置が排他的となるように、前記第１の分割処理によって得られた多値データのそれぞれが誤差拡散法により量子化されることを特徴とする請求項１に記載の画像処理装置。
【請求項３】
前記第１の量子化処理では、前記第１の分割処理によって得られた多値データのそれぞれが、異なる誤差分配マトリクスを用いた誤差拡散法により量子化されることを特徴とする請求項１に記載の画像処理装置。
【請求項４】
前記第２の分割処理では、前記第２の量子化処理によって生成された量子化データが、前記複数回の走査に対応した複数のマスクデータによって、前記複数回の相対走査の各々に対応する分割量子化データに分割されることを特徴とする請求項１乃至３のいずれか１項に記載の画像処理装置。
【請求項５】
前記第１の分割処理は、前記多値画像データを、第１相対走査に対応する多値データ、第２相対走査に対応する多値データおよび前記第１相対走査と前記第２相対走査に共通に対応する多値データに分割するための分割処理であり、前記第１の量子化処理は、前記分割処理により得られた多値データのそれぞれを量子化して、第１、第２および第３の量子化データを生成するための量子化処理であり、前記合成処理は、前記第１の量子化データと前記第３の量子化データを合成して前記第１相対走査に対応した合成量子化データを生成すると共に、前記第２の量子化データと前記第３の量子化データを合成して前記第２相対走査に対応した合成量子化データを生成するための合成処理である、ことを特徴とする請求項１乃至４のいずれか１項に記載の画像処理装置。
【請求項６】
記録ヘッドと記録媒体との複数回の相対走査によって前記記録媒体の画素領域に画像を記録するために、当該画素領域に記録すべき画像に対応した多値画像データを処理するための画像処理方法であって、
前記画素領域に対する前記相対走査の回数に関する情報を取得するための取得工程と、前記取得工程により取得された情報が示す回数が閾値未満の場合には第１の処理を選択し、前記情報が示す回数が閾値以上の場合には第２の処理を選択するための選択工程と、
前記選択工程により選択された処理を実行するための実行工程とを有し、
前記第１の処理は、（Ａ）前記多値画像データを、前記複数回の相対走査の各々に対応する多値データおよび前記複数回の相対走査のうちの少なくとも２回の相対走査に共通に対応する多値データに分割するための第１の分割処理と、（Ｂ）前記第１の分割処理によって得られた多値データのそれぞれを量子化して、前記複数回の相対走査の各々に対応する量子化データおよび前記少なくとも２回の相対走査に共通に対応する量子化データを生成するための第１の量子化処理と、（Ｃ）前記第１の量子化処理によって生成された量子化データを対応する相対走査毎に合成して、前記複数回の相対走査の各々に対応した合成量子化データを生成するための合成処理と、を含む画像処理であり、
前記第２の処理は、（Ｄ）前記多値画像データを量子化して量子化データを生成するための第２の量子化処理と、（Ｅ）前記第２の量子化処理によって生成された量子化データを、前記複数回の相対走査の各々に対応する分割量子化データに分割するための第２の分割処理と、を含む画像処理であることを特徴とする画像処理方法。
【請求項７】
前記第１の量子化処理は、前記第１の量子化処理によって生成される量子化データのそれぞれに基づき定められる記録画素の位置が排他的となるように、前記第１の分割処理によって得られた多値データのそれぞれを誤差拡散法により量子化する処理であることを特徴とする請求項６に記載の画像処理方法。
【請求項８】
前記第１の量子化処理は、前記第１の分割処理によって得られた多値データのそれぞれを、異なる誤差分配マトリクスを用いた誤差拡散法により量子化する処理であることを特徴とする請求項６に記載の画像処理方法。
【請求項９】
前記第１の分割処理は、前記多値画像データを、第１相対走査に対応する多値データ、第２相対走査に対応する多値データおよび前記第１相対走査と前記第２相対走査に共通に対応する多値データに分割するための分割処理であり、前記第１の量子化処理は、前記分割処理により得られた多値データのそれぞれを量子化して、第１、第２および第３の量子化データを生成するための量子化処理であり、前記合成処理は、前記第１の量子化データと前記第３の量子化データを合成して前記第１相対走査に対応した合成量子化データを生成すると共に、前記第２の量子化データと前記第３の量子化データを合成して前記第２相対走査に対応した合成量子化データを生成するための合成処理である、ことを特徴とする請求項６乃至８のいずれか１項に記載の画像処理方法。
【請求項１０】
コンピュータを、請求項１から５のいずれか１項に記載の画像処理装置として機能させることを特徴とするプログラム。
【手続補正２】
【補正対象書類名】明細書
【補正対象項目名】００１０
【補正方法】変更
【補正の内容】
【００１０】
上記目的を達成するための本発明は、記録ヘッドと記録媒体との複数回の相対走査によって前記記録媒体の単位領域に画像を記録するために、当該単位領域に記録すべき画像に対応した多値画像データを処理するための画像処理装置であって、前記単位領域に対する前記相対走査の回数に関する情報を取得するための取得手段と、前記取得手段により取得された情報が示す回数が閾値未満の場合には第１の処理モードを選択し、前記情報が示す回数が閾値以上の場合には第２の処理モードを選択するための選択手段と、前記選択手段により選択された処理モードを実行するための処理部とを備え、前記第１の処理モードは、（Ａ）前記多値画像データを、前記複数回の相対走査の各々に対応する多値データおよび前記複数回の相対走査のうちの少なくとも２回の相対走査に共通に対応する多値データに分割するための第１の分割処理と、（Ｂ）前記第１の分割処理によって得られた多値データのそれぞれを量子化して、前記複数回の相対走査の各々に対応する量子化データおよび前記少なくとも２回の相対走査に共通に対応する量子化データを生成するための第１の量子化処理と、（Ｃ）前記第１の量子化処理によって生成された量子化データを対応する相対走査毎に合成して、前記複数回の相対走査の各々に対応した合成量子化データを生成するための合成処理と、を含む画像処理を行うためのモードであり、前記第２の処理モードは、（Ｄ）前記多値画像データを量子化して量子化データを生成するための第２の量子化処理と、（Ｅ）前記第２の量子化処理によって生成された量子化データを、前記複数回の相対走査の各々に対応する分割量子化データに分割するための第２の分割処理と、を含む画像処理を行うためのモードであることを特徴とする。